(57)【特許請求の範囲】
【請求項１】
少なくとも後端キャップ部材と、該後端キャップ部材と係合接続される先端キャップ部材とからなり、
前記後端キャップ部材は、その側面に先端側が後端側よりも低くなった段差部が１周に亘り形成されて、前記先端キャップ部材の後端縁が該段差部に当接することにより接続部が構成され、後端キャップ部材の側面には、前記接続部の一部である段差部近傍において通気孔が形成され、
前記先端キャップ部材は前記通気孔に対応する部分で後端キャップ部材と重複せずに通気孔の空気の流通を確保してキャップ内外の空気を流通可能とし、
前記接続部は、軸線に沿って見て傾斜していることを特徴とするボールペン用キャップ。
【請求項２】
先端キャップ部材には、後方へ向けて延びるクリップが一体に形成されており、前記通気孔がクリップの内側に配置されることを特徴とする請求項１記載のボールペン用キャップ。
【発明の詳細な説明】
【０００１】
【発明の属する技術分野】
本発明は、油性ボールペンまたは蒸発しにくい水性ボールペンの筆記先端を保護するボールペン用キャップに関する。
【０００２】
【従来の技術】
従来、この種のボールペン用キャップは、不使用時に筆記先端を保護するために、ボールペン本体のペン先を包囲するべく設けられている。かかるボールペン用キャップは従来一部品からなり、キャップが被着されている場合には、ボールペン本体のペン先は、外気から遮断される。
【０００３】
【発明が解決しようとする課題】
しかしながら、気温の上昇等を原因としてボールペンの内圧が高くなると、ボールペン用キャップを取り外した際に、内外の圧力差から内部のインキがペン先から飛び出してしまう、所謂インキのポンピングが発生するという課題がある。
本発明はかかる課題に鑑みなされたもので、インキのポンピングを防止することができるボールペン用キャップを提供することをその目的とする。
【０００４】
【課題を解決するための手段】
上記目的を達成するために請求項１記載の発明のボールペン用キャップは、少なくとも後端キャップ部材と、該後端キャップ部材と係合接続される先端キャップ部材とからなり、前記後端キャップ部材は、その側面に先端側が後端側よりも低くなった段差部が１周に亘り形成されて、前記先端キャップ部材の後端縁が該段差部に当接することにより接続部が構成され、後端キャップ部材の側面には、前記接続部の一部である段差部近傍において通気孔が形成され、前記先端キャップ部材は前記通気孔に対応する部分で後端キャップ部材と重複せずに通気孔の空気の流通を確保してキャップ内外の空気を流通可能とし、前記接続部は、軸線に沿って見て傾斜していることを特徴とする。
【０００５】
通気孔を通じて通気されるために、温度の上昇があったとしても、内圧の上昇が防止される。そのため、ボールペン用キャップを取り外したときに、ボールペン本体からのインキのポンピングが発生することを防止することができる。
【０００６】
また、請求項２記載の発明によれば、請求項１記載のものにおいて、先端キャップ部材には、後方へ向けて延びるクリップが一体に形成されており、前記通気孔がクリップの内側に配置されることを特徴とする。
【０００７】
【発明の実施の形態】
以下、図面を用いて本発明の実施の形態を説明する。図１は、本発明に係るボールペン用キャップの実施の形態を表す断面図である。
ボールペン用キャップ１０は、不使用時にボールペン本体２０のペン先２０ａを保護するべく、ボールペン本体２０の先端に被着されている。ボールペン本体２０は、油性インキまたは蒸発しにくい水性インキが充填されている。
【０００８】
ボールペン用キャップ１０は、少なくとも後端キャップ部材１２と、後端キャップ部材１２と係合接続される先端キャップ部材１４とから構成される。
後端キャップ部材１２は、図２ないし図４に示したように、その先端が閉じた形状を成しており、その外側面に先端側が後端側よりも低くなった段差部１２ａが１周に亘り形成されている。段差部１２ａは、軸線方向に沿って見て前後に傾いており、その輪郭線は曲線状と直線状から構成される。段差部１２ａの軸線方向に沿って見て最も先端側になった部位と、軸線方向に沿って見て最も後端側になった部位において、それぞれ貫通孔１２ｂ、１２ｃが形成されている。貫通孔１２ｃには、図２に示したように、段差部１２ａの後側まで延びた通気孔１２ｄが連設されている。また、後端キャップ部材１２の先端部においても、その外周面に第２段差部１２ｅが形成されており、さらに軸方向に伸びる１つまたは複数の溝１２ｆが形成されている。また、後端キャップ部材１２の内周面には、ボールペン本体２０の先端に当接する軸方向に伸びる複数のリブ１２ｇが形成されている。
【０００９】
一方の先端キャップ部材１４は、図５に示したように、その先端が閉じた形状を成しており、その内周面には前記後端キャップ部材１２の第２段差部１２ｅと当接する内部段差部１４ａが形成されている。先端キャップ部材１４の後端縁１４ｂは、前記段差部１２ａに適合するように同一輪郭を成しており、段差部１２ａに当接している。また、先端キャップ部材１４の内周面には、後端キャップ部材１２の貫通孔１２ｂ、１２ｃに対応して、係合突起１４ｃ、１４ｄが形成されており、係合突起１４ｃ、１４ｄは貫通孔１２ｂ、１２ｃにそれぞれ係止されている一方、後端キャップ部材１２の通気孔１２ｄに対応する部分では、先端キャップ部材１４が後端キャップ部材１２と重複していない。また、先端キャップ部材１４の内周面には、後端キャップ部材１２の前記溝１２ｆに対応して、リブ１４ｆが形成されている。
【００１０】
また、先端キャップ部材１４には、後方へ向けて延びるクリップ１４ｅが一体に形成されており、前記通気孔１２ｄがクリップ１４ｅのちょうど内側に配置されるようになっている。
先端キャップ部材１４は、後端キャップ部材１２の先端を覆うようにして取り付けられて、その後端縁１４ｂが段差部１２ａに当接し、また、その内部段差部１４ａが第２段差部１２ｅに当接し、さらに、その係合突起１４ｃ、１４ｄが貫通孔１２ｂ、１２ｃに係止し、そのリブ１４ｆが溝１２ｆに嵌入し、さらに後端キャップ部材１２の先端部が先端キャップ部材１４の内部段差部１４ａより先端内部にはめ込まれることにより、後端キャップ部材１２と係合接続されて、一体のキャップとなる。接続部Ｃは、先端キャップ部材１４の後端縁１４ｂと後端キャップ部材１２の段差部１２ａにより形成される。そして、接続部Ｃ近傍において、段差部１２ａよりも後側へ延びる通気孔１２ｄは、先端キャップ部材１４に覆われずに、通気孔１２ｄを通じてキャップ内外の空気の流通が確保されるようになっている。
【００１１】
以上のように構成されるボールペン用キャップ１０は、ボールペン本体２０の不使用時にそのペン先２０ａを保護するべく、ボールペン本体２０の先端に被着される。温度の上昇があったとしても、通気孔１２ｄを通じて通気されているため、内圧の上昇が防止される。そのため、ボールペン用キャップ１０を取り外したときに、インキのポンピングが発生することを防止することができる。
【００１２】
また、通気孔１２ｄは、クリップ１４ｅの内側に配置されて隠れるために、見栄えが悪くなることはない。
仮に、ボールペン用キャップが一体部品であると、クリップとその内側に配置される通気孔とを成形によって同時に形成するのは困難を極めるが、ボールペン用キャップ１０を後端キャップ部材１２と先端キャップ部材１４とから構成することで、通気孔１２ｄとクリップ１４ｅとを別々に成形することができ、簡単に構成することができる。
【００１３】
さらには、後端キャップ部材１２と先端キャップ部材１４とで、それぞれ色や模様等のデザインを異なったものとすれば、デザイン的にも斬新なものとなり、美観を向上させることができる。後端キャップ部材１２と先端キャップ部材１４の接続部Ｃが、後端キャップ部材１２の段差部１２ａと先端キャップ部材１４の後端縁１４ｂとによって構成され、単なる真円状ではなく、軸線に沿って見て傾斜し、曲線状と直線状とからなる輪郭線となっているために、デザイン的にも変化がついて優れたものとなる。さらには、後端キャップ部材１２を先端キャップ部材１４に取り付ける際に、接続部が軸線方向に沿って見て前後に傾いているため、作業者がその取付角度位置を間違えることがなく、通気孔１２ｄが塞がれるといったミスが防げて、さらには、クリップ１４ｅが通気孔１２ｄとの取付角度位置がずれることを防ぐことができる。
【００１４】
【発明の効果】
以上説明したように、本発明のうち請求項１記載の発明によれば、キャップに通気孔が形成されているために、インキのポンピングの発生を防止することができる。また、ボールペン用キャップを後端キャップ部材と先端キャップ部材とから構成することで、後端キャップ部材と先端キャップ部材とでデザイン的な変化をつけることができ、ボールペン用キャップ全体として美観を向上させることができる。
【００１５】
また、後端キャップ部材の段差部に先端キャップ部材の後端縁を当接させることで、後端キャップ部材の位置決めを行うことができる。また、接続部が軸線方向に沿って見て傾斜しているため、言い換えれば、後端キャップ部材の段差部と先端キャップ部材の後端縁とが、軸線方向に沿って見てその輪郭が傾斜しているため、後端キャップ部材の段差部と先端キャップ部材の後端縁が整合しうる取付角度が一義的に決まり、取付作業時に、取付角度位置を間違えるというようなことはない。従って、通気孔が誤って塞がれるといったミスを防ぐことができる。
【００１６】
また、請求項２記載の発明によれば、通気孔がクリップの内側に配置されるために、通気孔が外方に露出されることなく、見栄えが悪くなることはない。仮に、ボールペン用キャップが一体部品であると、クリップとその内側に配置される通気孔とを成形によって同時に形成するのは困難を極めるが、ボールペン用キャップを後端キャップ部材と先端キャップ部材とから少なくとも構成することで、通気孔とクリップとを別々に成形することができ、簡単に実現することができる。
【図面の簡単な説明】
【図１】本発明に係るボールペン用キャップがボールペン本体に被着された状態を表す縦断面図である。
【図２】図１のボールペン用キャップの後端キャップ部材の平面図である。
【図３】図１のボールペン用キャップの後端キャップ部材の側面図である。
【図４】図１のボールペン用キャップの後端キャップ部材の縦断面図である。
【図５】図１のボールペン用キャップの先端キャップ部材の縦断面図である。
【符号の説明】
１０  ボールペン用キャップ
１２  後端キャップ部材
１２ａ  段差部
１２ｄ  通気孔
１４  先端キャップ部材
１４ｂ  後端縁
１４ｅ  クリップ
Ｃ  接続部
【図１】
0003784174.tif 000002
【図２】
0003784174.tif 000003
【図３】
0003784174.tif 000004
【図４】
0003784174.tif 000005
【図５】
0003784174.tif 000006